(57)【特許請求の範囲】
【請求項１】
自閉式引戸に適用されて、開放途中状態の戸パネル（２）を自動閉止装置の閉じ操作力に抗して停止保持する閉じ停止装置であって、
閉じ停止装置は、戸パネル（２）とガイドレール（３）のいずれか一方に設けられるラック（３３）と、他方に設けられるロックユニット（３４）とで構成されており、
ロックユニット（３４）が、閉じロック姿勢と待機姿勢とに揺動変位可能に支持され、かつラック（３３）に対して接離可能に支持されるロック体（３５）と、ロック体（３５）をラック（３３）へ向かって進出付勢するばね（３６）と、ロック体（３５）およびばね（３６）を収容するハウジング（３７）を含んで構成されており、
閉じロック姿勢に傾動したロック体（３５）がラック（３３）と突っ張り係合して、戸パネル（２）を自動閉止装置の閉じ操作力に抗して停止保持でき、
ロック体（３５）が、ラック（３３）と係合するロックレバー（３９）と、ロックレバー（３９）を閉じロック姿勢と待機姿勢とに揺動可能に支持するホルダー（４０）と、ロックレバー（３９）を中立位置へ復帰付勢する付勢体（４１）とで構成されており、
ホルダー（４０）は、ハウジング（３７）でラック（３３）に対して出退可能に支持されて、ばね（３６）でラック（３３）へ向かって進出付勢されており、
ロックレバー（３９）は、閉じロック姿勢に傾動した状態においてラック（３３）と突っ張り係合して戸パネル（２）を停止保持でき、
停止保持状態の戸パネル（２）を閉じ操作することにより、ロックレバー（３９）およびホルダー（４０）の共同作用で、ロックレバー（３９）が中立位置を越えて待機姿勢に切り換わり、戸パネル（２）を自動閉止装置で閉じ操作できることを特徴とする自閉式引戸の閉じ停止装置。
【請求項２】
ガイドレール（３）の上壁にラック（３３）が固定され、戸パネル（２）と同行移動可能に設けたハウジング（３７）の上部にラック（３３）と係合するロックレバー（３９）が配置してある請求項１記載の自閉式引戸の閉じ停止装置。
【請求項３】
戸パネル（２）が閉じ位置にあるときのロックレバー（３９）の近傍で、ロックレバー（３９）より開放側にラック（３３）の閉じ端部（３３Ｓ）が位置させてあり、
戸パネル（２）が自動閉止装置で閉止位置まで閉じ操作されるごとに、ロックレバー（３９）を中立位置へ自動復帰できる請求項１または２記載の自閉式引戸の閉じ停止装置。
【請求項４】
中途部がピン（５５）で揺動可能に軸支してあるロックレバー（３９）の一端にロック爪（５４）が設けられ、他端に付勢体であるウェイト（４１）が設けられており、
ロックレバー（３９）の全体が、ウェイト（４１）の重力モーメントで中立位置へ復帰付勢してある請求項１、２または３記載の自閉式引戸の閉じ停止装置。
【請求項５】
ホルダー（４０）と、ホルダー（４０）に隣接配置したばね受座（４４）との間にばね（３６）が配置されており、
ばね受座（４４）を移動操作してばね（３６）の張力を調整変更するばね調整ねじ（４３）が設けてある請求項１から４のいずれかに記載の自閉式引戸の閉じ停止装置。  
【発明の詳細な説明】
【技術分野】
【０００１】
本発明は、自動閉止できる引戸に適用されて、開放途中状態の引戸を自動閉止装置の閉じ操作力に抗して停止保持できる閉じ停止装置に関する。
【背景技術】
【０００２】
この種の閉じ停止装置の先行技術として、特許文献１、２が提案されている。特許文献１の閉じ停止装置は、戸パネルを吊持するランナーローラーの周面に弾性ローラーを押し付けて、ランナーローラーの転動を阻止することにより、戸パネルを任意の開放位置で閉じ停止できるようにしている。特許文献２の閉じ停止装置は、ガイドレールのレール面に弾性ローラーを押し付けることにより、戸パネルを任意の開放位置で閉じ停止できるようにしている。いずれの場合も、ランナーローラーまたはガイドレールと弾性ローラーとの間隔が最も小さくなる死点位置を基準にして、弾性ローラーが死点位置より閉じ端側に位置している状態のとき戸パネルを閉じ停止できる。
【０００３】
本発明の閉じ停止装置のひとつは、死点位置を間に挟んで閉じロック姿勢と待機姿勢とに揺動変位するロックレバーと、ロックレバーと係合するラックとを係合要素にして構成するが、ロックレバーを係合要素とする閉じ停止装置は特許文献３に公知である。そこでは、戸パネルのパネル表面に圧接する摩擦ローラーと、摩擦ローラーの上面に設けた凹凸係合部と係合するロックレバーと、これらを支持するハウジングなどで閉じ停止装置を構成している。摩擦ローラーは、弾性変形可能なウレタン樹脂で形成してあり、ハウジングで縦軸まわりに回転自在に軸支してある。ハウジングはガイドレールの下面に固定される。
【０００４】
摩擦ローラーは戸パネルの開閉移動に連動して回動し、ロックレバーが死点位置よりも閉じロック姿勢側へ傾動している状態において、凹凸係合部と突っ張り係合して摩擦ローラーの回転を規制し、戸パネルが閉じ方向へ移動するのを規制できる。戸パネルの閉じ停止状態を解除する場合には、戸パネルを閉じ方向へ操作して摩擦ローラーを逆転回動させ、ロックレバーを待機姿勢側へ傾動させて、突っ張り係合状態を解除する。このとき、ロックレバーは摩擦ローラーを弾性変形させながら死点位置を乗り越える。
【０００５】
【特許文献１】特公平８−９９３２号公報（段落番号００２４、図２）
【特許文献２】特開平１０−１５９４３６号公報（段落番号０００９、図２）
【特許文献３】特開２００３−１３８８２９号公報（段落番号００２１、図５）
【発明の開示】
【発明が解決しようとする課題】
【０００６】
特許文献１、２の閉じ停止装置は、いずれも弾性ローラーが死点位置を乗り越え（あるいはくぐり抜ける）ことで、閉じロック姿勢と待機姿勢とに切り換わる構造になっている。このときの弾性ローラーは、周面の上下対向位置が押し潰されて、互いに逆向きの回転抵抗を受けた状態、すなわち回転しにくい状態のままでスリップしながら制動対象を乗り越える必要があり、弾性ローラーの姿勢切り換えに大きな力を要し、健常者であっても弾みをつけて戸パネルを開閉操作しなければならないことがある。そのため、例えば車椅子に着座した状態で上半身だけしか使えない使用者にとっては、戸パネルを開閉することが著しく困難となる。弾性ローラーの乗り越え抵抗を小さくすることはできるが、その場合には、戸パネルを確実に閉じ停止状態に保持することが難しくなる。
【０００７】
また、特許文献１の閉じ停止装置は、戸パネルを吊持するローラーを制動対象とするので、例えば戸パネルの重量を戸車で支持する戸車型の引戸に適用することができない。その点、特許文献２の閉じ停止装置はガイドレールを制動対象とするので、戸車型の引戸であっても問題なく適用できる。しかし、ガイドレールを制動対象としているので、比較的小型で重量が軽い一般家庭用の戸パネルが乱暴に開閉されるような場合に、戸パネルおよび弾性ローラがガイドレールから浮き離れることがあり、そうした場合に弾性ローラーによる閉じ停止機能を発揮できないことがある。場合によっては、弾性ローラーの状態が使用者の意図とは無関係に切り換わるおそれがある。
【０００８】
特許文献３の閉じ停止装置は、縦軸まわりに回転する摩擦ローラーを戸パネルのパネル表面に圧接させるので、戸パネルがガイドレールから浮き離れるような場合にでも、問題なく閉じ停止機能を発揮できる。しかし、吊車型の引戸において、戸パネルがランナーローラーを中心にして摩擦ローラーから遠ざかる方向へ振れ動くとき、摩擦ローラーと戸パネルとの接触圧が小さくなり、戸パネルを停止状態に保持できなくなることがある。例えば、車椅子の一部が戸パネルに接当して、戸パネルが摩擦ローラーから遠ざかる方向へ振れ動くような場合に閉じ停止力が減少し、自動閉止装置の閉じ操作力によって戸パネルが閉じ方向へ移動するおそれがある。また、摩擦ローラーとハウジングを、戸パネルの開閉軌跡面の前後いずれか一側に配置する必要があるので、２個の戸パネルを引き違い開閉する引戸に閉じ停止装置を適用できないことがある。
【０００９】
本発明の目的は、戸車型の引戸と吊車型の引戸のいずれにも適用でき、しかも、２個の戸パネルを引き違い開閉する引戸であっても問題なく適用できる、汎用性に優れた停止装置を提供することにある。本発明の目的は、ランナーローラーがガイドレールから浮き離れ、あるいは前後いずれかへ振れ動くような場合であっても、確実に閉じ停止機能を発揮して戸パネルを開放位置に停止保持でき、しかも、ロック体の姿勢切り換えを誰もが軽快に行うことができる、使い勝手に優れた閉じ停止装置を提供することにある。
【課題を解決するための手段】
【００１０】
本発明の閉じ停止装置は、自閉式引戸に適用されて、開放途中状態の戸パネル２を自動閉止装置の閉じ操作力に抗して停止保持する。閉じ停止装置は、戸パネル２とガイドレール３のいずれか一方に設けられるラック３３と、他方に設けられるロックユニット３４とで構成する。ロックユニット３４は、閉じロック姿勢と待機姿勢とに揺動変位可能に支持され、かつラック３３に対して接離可能に支持されるロック体３５と、ロック体３５をラック３３へ向かって進出付勢するばね３６と、ロック体３５およびばね３６を収容するハウジング３７を含んで構成する。以て、閉じロック姿勢に傾動したロック体３５がラック３３と突っ張り係合して、戸パネル２を自動閉止装置の閉じ操作力に抗して停止保持できるようにする。
【００１１】
ロック体３５は、ラック３３と係合するロックレバー３９と、ロックレバー３９を閉じロック姿勢と待機姿勢とに揺動可能に支持するホルダー４０と、ロックレバー３９を中立位置へ復帰付勢する付勢体４１とで構成する。ホルダー４０は、ハウジング３７でラック３３に対して出退可能に支持され、ばね３６でラック３３へ向かって進出付勢されている。ロックレバー３９は、閉じロック姿勢に傾動した状態においてラック３３と突っ張り係合して戸パネル２を停止保持できる。さらに、停止保持状態の戸パネル２を閉じ操作することにより、ロックレバー３９およびホルダー４０の共同作用で、ロックレバー３９が中立位置を越えて待機姿勢に切り換わって、戸パネル２を自動閉止装置で閉じ操作できる。
【００１２】
ガイドレール３の上壁にラック３３を固定し、戸パネル２と同行移動可能に設けたハウジング３７の上部にラック３３と係合するロックレバー３９を配置する。
【００１３】
戸パネル２が閉じ位置にあるときのロックレバー３９の近傍で、ロックレバー３９より開放側にラック３３の閉じ端部３３Ｓを位置させる。以て、戸パネル２が自動閉止装置で閉止位置まで閉じ操作されるごとに、ロックレバー３９を中立位置へ自動復帰できるようにする。
【００１４】
中途部がピン５５で揺動可能に軸支してあるロックレバー３９の一端にロック爪５４を設け、他端に付勢体であるウェイト４１を設ける。以て、ロックレバー３９の全体を、ウェイト４１の重力モーメントで中立位置へ復帰付勢する。
【００１５】
ホルダー４０と、ホルダー４０に隣接配置したばね受座４４との間にばね３６を配置する。ばね受座４４を移動操作してばね３６の張力を調整変更するばね調整ねじ４３を設ける。
【発明の効果】
【００１８】
本発明の閉じ停止装置は、戸パネル２とガイドレール３のいずれか一方に設けられるラック３３と、他方に設けられるロックユニット３４とで構成した。また、閉じロック姿勢と待機姿勢とに揺動変位でき、しかもラック３３に対して接離可能に支持されるロック体３５と、ロック体３５をラック３３へ向かって進出付勢するばね３６と、これら両者３５・３６を収容するハウジング３７などでロックユニット３４を構成し、閉じロック姿勢に傾動したロック体３５がラック３３と突っ張り係合することで、戸パネル２を任意の開放位置に停止保持できるようにした。
【００１９】
上記のように本発明では、ラック３３と、ラック３３に係合するロック体３５を係合要素にして閉じ停止装置を構成し、戸パネル２の開閉操作によってロック体３５の傾動姿勢を切り換えることにより、ロック体３５をラック３３に係合させて戸パネル２を任意の開放位置に停止保持し、あるいはラック３３との係合を解除して停止保持状態を解除できるようにするので、例えば弾性ローラーが弾性変形しながら死点位置を乗り越えて戸パネルを閉じ停止する従来の閉じ停止装置に比べて、ロック体３５の姿勢が切り換わるときの切り換え抵抗を軽減でき、したがって、戸パネル２を確実に閉じ停止状態に保持しながら、力の弱い使用者であっても戸パネル２を軽快に開閉できる。また、ガイドレール３と戸パネル２の間に閉じ停止装置を設けるので、吊車型の引戸はもちろん、戸車型の引戸であっても閉じ停止装置を適用でき、さらに、２個の戸パネルを引き違い開閉する引戸であっても問題なく適用でき、全体として汎用性に優れた停止装置が得られる。
【００２０】
ロックレバー３９と、ロックレバー３９を揺動可能に支持するホルダー４０と、ロックレバー３９を中立位置へ復帰付勢する付勢体４１とでロック体３５を構成し、ホルダー４０をハウジング３７でラック３３に対して出退可能に支持し、ばね３６でラック３３へ向かって進出付勢するロックユニット３４によれば、戸パネル２を開閉するときのロックレバー３９の傾動動作と、ホルダー４０の出退動作との組み合わせ動作によって、ロックレバー３９を閉じロック姿勢と待機姿勢とに循環的に姿勢切り換えし、切り換え姿勢を保持し続けることができるので、ロックレバー３９の姿勢切り換えを常に安定した状態で確実に行うことができ、たとえ、戸パネル２が乱暴に開放操作されるような場合であっても、ロックレバー３９の姿勢が切り換わってしまうのを確実に防止できる。ロックレバー３９は、閉じロック姿勢に傾動した状態においてラック３３と突っ張り係合して戸パネル２を停止保持する。また、停止保持状態の戸パネル２を閉じ操作すると、ロックレバー３９およびホルダー４０の共同作用で、ロックレバー３９が中立位置を越えて待機姿勢に切り換わるので、戸パネル２を自動閉止装置で閉じ操作できる。
【００２１】
ガイドレール３の上壁にラック３３を固定し、戸パネル２と同行移動するハウジング３７の上部にロックレバー３９を配置すると、ロックレバー３９がラック３３と上下に係合して閉じロック姿勢を保持できるので、戸パネル２が乱暴に開放操作されて、ランナーローラー９がガイドレール３から浮き離れるような場合であっても、ロックレバー３９とラック３３との係合状態を維持でき、同様に、戸パネル２が前後いずれかへ振れ動くような場合であっても、ロックレバー３９とラック３３との係合状態を維持して、戸パネル２を開放位置において確実に停止保持できる。
【００２２】
戸パネル２が閉じ位置にあるときのロックレバー３９の近傍で、ロックレバー３９より開放側にラック３３の閉じ端部３３Ｓが位置させてあると、戸パネル２が自動閉止装置で閉止位置まで閉じ操作されるごとに、ロックレバー３９を付勢体４１で中立位置へ自動復帰できる。また、ラック３３の閉じ端部３３Ｓが閉じ位置から離れている分だけ、開放方向の運動慣性力を付与した状態で戸パネル２を開放操作できるので、戸パネル２を閉じ位置から開放操作するときの開放抵抗を小さくでき、より軽快に戸パネル２を開放操作できる。ロックレバー３９が閉じロック姿勢に切り換わるときの抵抗を、使用者に感じさせることもない。
【００２３】
揺動可能に軸支したロックレバー３９の一端にロック爪５４を設け、他端にウェイト４１を設け、ウェイト４１の重力モーメントでロックレバー３９の全体を中立位置へ復帰付勢するロックユニット３４によれば、例えばばね材でロックレバー３９を中立位置へ復帰付勢する場合に比べて、ロックユニット３４の構造を簡素化し、部品点数と組立工数とを削減でき、その分だけ閉じ停止装置を低コスト化できる。
【００２４】
ホルダー４０とばね受座４４との間にばね３６を配置し、ばね受座４４を調整ねじ４３で移動操作して、ばね３６の張力を調整変更できるようにしたロックユニット３４によれば、ばね３６の張力を変更してロックレバー３９の切り換え抵抗を大小に調整できるので、戸パネル２の重量が大小に異なる場合であっても閉じ停止装置を共通して適用できる。さらに、使用者の体力や好みに応じてロックレバー３９の切り換え抵抗を調整変更して、戸パネル２の開閉操作を好適化できる。
【発明を実施するための最良の形態】
【００２９】
（実施例１）  図１ないし図７は、本発明に係る閉じ停止装置を適用した一枚構造の引戸の実施例１を示す。図２において符号１は戸枠、２は戸パネルである。戸枠１の上枠部分にはガイドレール３が固定してある。戸パネル２の左右上隅にはランナーユニットが装着してあり、これらのランナーユニットをガイドレール３で走行案内することにより、ランナーユニットで吊持された戸パネル２を開け閉めできる。戸パネル２は、その下端に設けたスライド溝５と係合する振止めピン６で振止め保持してある。
【００３０】
図４に示すように、ガイドレール３は下向きに開口する断面Ｃ字状のアルミニウム条材からなり、レール開口の前後に部分円弧状のレール溝３ａが設けてある。ランナーユニット４は、戸パネル２の左右上隅に埋設固定されるランナー台と、先のレール溝３ａで走行案内されるランナー本体８と、ランナー台とランナー本体８をつなぐ吊軸などで構成してある。ランナー本体８は、前後一対のランナーローラー９と、ランナーローラー９をランナー軸１０を介して回転自在に軸支する走行ブロック１１とで構成する。
【００３１】
開放操作された戸パネル２を自動的に、しかも閉じ端寄りにおいてゆっくりと閉じ操作するために、ガイドレール３と戸パネル２との間に自動閉止装置を設けている。さらに、開放途中状態の戸パネル２を自動閉止装置の閉じ操作力に抗して停止保持するために本発明に係る閉じ停止装置を設けている。
【００３２】
図３において、自動閉止装置は、戸パネル２を閉じ端へ向かって引っ張り付勢する定トルクばね１５と、戸パネル２の閉じ速度を減速して緩やかに閉止移動させるエアーダンパー（ダンパー）１６などで構成する。ロール状に巻込まれた定トルクばね１５の全体は、閉じ端側の走行ブロック１１に固定したブラケット１７で回転自在に軸支してあり、ばね体１５ａの繰り出し始端がガイドレール３の閉じ端寄りに締結固定してある。したがって、戸パネル２を開放操作すると、定トルクばね１５からばね体１５ａが繰り出され、常に一定の張力で戸パネル２を閉じ方向へ引っ張り操作する。
【００３３】
エアーダンパー１６は、シリンダー２０、ピストン２１、およびピストンロッド２２を備えており、ピストンロッド２２がシリンダー２０内へ退縮するとき、ピストン２１で押し出される空気の出口通路を図示していない絞り弁で絞って、戸パネル１の閉じ動作を制動する。シリンダー２０の一端には端プラグ２３が固定してあり、その内部に先の絞り弁が組み込んである。絞り弁は、絞り調整弁のねじ込み量を調整することで変更できる。
【００３４】
ガイドレール３内でエアーダンパー１６の姿勢が軸心まわりに変化するのを防ぐために、ピストンロッド２２の進出端と、シリンダー２０のロッド側端のそれぞれに保持ブロック２４・２５を固定し、これらのブロック２４・２５を前後一対の遊転自在なローラー２６で支持している。各ローラー２６は、先のランナーローラー９と同様にレール溝３ａで走行案内される。シリンダー２０の基端は、端プラグ２３と連結枠２７、および後述する閉じ停止装置を介して開放端側の走行ブロック１１に連結してある。したがって、戸パネル２を開閉するとき、シリンダー２０は戸パネル２に同行して開閉移動できる。
【００３５】
シリンダー２０内に退縮したピストンロッド２２を、戸パネル２の開放動作を利用して引き出し操作するために、保持ブロック２４の上隅部分に鉄片３１を固定し、鉄片３１を吸着する磁石３０をガイドレール３の内部の閉じ端寄りに固定している。閉じ位置にある戸パネル１を開放操作すると、その開放移動量に対応してピストンロッド２２がシリンダー２０から引き出される。このとき、シリンダー２０内へ外部空気が吸い込まれるが、外部空気は端プラグ２３に設けた逆止弁を介して吸い込まれるので、ピストンロッド２２を軽快に引き出すことができる。ピストンロッド２２が限界位置まで引き出されると、鉄片３１が磁石３０から分離し、シリンダー２０とピストンロッド２２とはその状態のままで戸パネル１に同行移動する。戸パネル２が閉じ移動するときは、鉄片３１が磁石３０に吸着されたのちにエアーダンパー１６が作動して、戸パネル２の閉じ速度を減速させる。
【００３６】
上記のように構成した自閉式の引戸において、開放操作した戸パネル３を自動閉止装置の閉じ操作力に抗して停止保持するために、戸パネル２とガイドレール３との間に閉じ停止装置を設けている。閉じ停止装置は、ガイドレール３の上壁にビスで締結固定されるラック３３と、戸パネル２の開放端側の走行ブロック１１に連結固定されるロックユニット３４とで構成する。プラスチック成形されたラック３３の下面側には、一群のラック歯３３ａが一定間隔おきに形成してある。ラック３３は、ガイドレール３の開放端寄りから、戸パネル２が閉じ位置にあるときのロックレバー３９の近傍にわたって配置するが、その詳細は後述する。
【００３７】
図５においてロックユニット３４は、ロック体３５と、ロック体３５をラック３３へ向かって進出付勢するばね３６と、これらの部材を収容するハウジング３７などで構成する。ロック体３５は、ラック３３と係合するロックレバー３９と、ロックレバー３９を閉じロック姿勢と待機姿勢とに揺動可能に支持するホルダー４０と、ロックレバー３９を中立位置へ復帰付勢するウェイト（付勢体）４１とで構成する。ホルダー４０はラック３３に対して近接ないし離反する向き、すなわち上下スライド可能にハウジング３７で支持され、ばね３６で押し上げ付勢してある。このばね３６の張力を調整変更するために、ばね調整ねじ４３とばね受座４４が設けてある。
【００３８】
ハウジング３７は、前後一対のケース体３７ａを接合し、両ケース体３７ａをビス５７で締結して角ブロック状に形成してある。両ケース体３７ａの接合面には、ホルダー４０およびばね３６を収容するガイド溝４５が凹み形成してあり、その上下にロックレバー３９の左右揺動を許すレバー溝４６と、ばね調整ねじ４３用の挿通溝４７が凹み形成され、ガイド溝４５の左右に隣接して連結溝４８・４８が凹み形成してある。ハウジング３７は、連結溝４８に係合される連結軸４９を介して、連結枠２７および開放端側の走行ブロック１１と連結固定してある（図１および図３参照）。
【００３９】
ホルダー４０は、前後一対のブラケット５１を備えた逆門形のプラスチック成形品からなり、両ブラケット５１の下端前後にホルダー４０の進出限界を規定するストッパー５２が膨出形成してある。ホルダー４０の下面には、ばね３６の上端を受け止めるばね受け突起が形成してある。
【００４０】
ロックレバー３９は、一端にロック爪５４を設け、他端にウェイト４１を設けたプラスチック成形品からなり、その中途部を先のブラケット５１でピン５５を介して左右揺動可能に軸支することにより、図１に示すようにロック爪５４が、時計の文字盤の概ね１０時の位置でラック３３と係合する閉じロック姿勢と、図７（ｂ）に示すようにロック爪５４が、時計の文字盤の概ね２時の位置でラック３３と係合する待機姿勢とに揺動変位できる。ロックレバー３９の揺動中心を支点とするときのウェイト４１側の重量は、ロック爪５４側の重量に比べて充分に大きい。したがって、閉じロック姿勢、および待機姿勢に傾動した状態におけるロックレバー３９は、ウェイト４１の重力モーメントを受けて常に中立位置へ復帰付勢される。
【００４１】
ロックレバー３９が組み付けられたホルダー４０、ばね３６、ばね受座４４をガイド溝４５に収容し、ばね受座４４にばね調整ねじ４３をねじ込み、さらに連結溝４８に連結軸４９を係合した状態で、両ケース体３７ａを左右一対のビス５７で締結し、ケース体３７ａに差込み係合したリテーナ板５８でばね調整ねじ４３を回転のみ自在に係合することにより、各部品をハウジング３７と一体化することにより、ユニット部品化されたロックユニット３４を得ることができる。
【００４２】
図３に示すように戸パネル２が閉じ位置にあるとき、ロックレバー３９を中立位置へ復帰揺動させるために、ラック３３の閉じ端部３３Ｓの位置を、ロックレバー３９の近傍で、同レバー３９より開放側に位置させている。中立位置におけるロックレバー３９は、垂直に起立するロック爪５４の先端がガイドレール３の上壁と僅かな隙間を介して対向している。このときのホルダー４０はばね３６の付勢力を受けて進出限界位置まで押し上げ操作されており、ストッパー５２がガイド溝４５の上端壁で受け止められている（図４参照）。
【００４３】
上記の状態から、戸パネル２を定トルクばね１５の付勢力に抗して開放操作すると、図６（ａ）に想像線で示すようにロック爪５４がラック３３の閉じ端側の端部３５Ｓに接当するため、ロックレバー３９の全体はウェイト４１の復帰モーメントに抗して閉じロック姿勢に切り換わり、ロック爪５４の先端がラック３３のギヤ歯の歯先で受け止められる。さらに戸パネル２を開放操作すると、ロック爪５４はラック３３のギヤ歯の歯先に次々と接当して、閉じロック姿勢を維持した状態のままで戸パネル２と同行移動する。
【００４４】
ラック３３の歯溝を通過するとき、ロック爪５４はウェイト４１の復帰モーメントを受けて、歯溝内において待機姿勢に復帰しようとするが、すぐにギヤ歯に接当するため、ロックレバー３９の姿勢が中立姿勢はもちろん、待機姿勢に切り換わることはなく、ロック爪５４がギヤ歯をパタパタと叩きながら開放方向へ移動する。このときのロック爪５４によるギヤ歯の叩打音は、ウェイト４１の復帰モーメントが小さいのでごく小さな音にしかならず、ランナーローラー９やローラー２６の転動騒音を超えることはない。
【００４５】
上記のように、ロックレバー３９が閉じロック姿勢にある状態では、任意の開放位置で手を放すことにより、戸パネル２が定トルクばね１５のばね力によって閉じ端へ向かって引っ張られる。戸パネル２が閉じ移動し始めると、ロック爪５４は、ウェイト４１の復帰モーメントを受けてラック３３の歯溝に落ち込む状態でギヤ歯に受け止められる。その結果、ロックレバー３９は、図６（ｂ）に示すようにラック３３のギヤ歯と突っ張り係合して、戸パネル２が閉じ方向へ移動するのを規制し、定トルクばね１５の引っ張り力に抗してその位置に停止保持する。このロック状態では、戸パネル２を引き続き開放方向へは移動できるが、閉じ方向への移動は規制される。したがって、戸パネル２を開き保持する必要もなく、戸枠１の開口面を通過することができる。
【００４６】
停止保持状態の戸パネル２を閉じ移動させるには、戸パネル２に閉じ方向の力を加える。戸パネル２に閉じ力が作用するのと同時に、ハウジング３７にも閉じ方向の力が作用する。そのため、ホルダー４０は、ばね３６の付勢力に抗してラック３３から離れる向きに下降移動する。これによりロックレバー３９の揺動支点位置が下がるので、ロックレバー３９は図７（ａ）に実線で示すように中立姿勢に切り換わり、さらに中立位置を越えて図７（ｂ）に示す待機姿勢に切り換わる。この状態のロック爪５４は、戸パネル２の閉じ動作に同行してギヤ歯をパタパタと叩くだけであるので、戸パネル２を抵抗なく閉じ移動できる。閉じストロークの終段においては、エアーダンパー１６が作動して戸パネル２の閉じ速度を減速するので、戸パネル２をゆっくりと閉じ停止できる。
【００４７】
戸パネル２が閉じ位置まで戻る直前に、ロック爪５４とラック３３との接当状態が解消される。そのためロックレバー３９は、戸パネル２が閉じ操作されるごとにウェイト４１の復帰モーメントを受けて中立位置へ復帰する。このように、ラック３３の閉じ端部３３Ｓの位置は、戸パネル２が閉じ位置からある程度開放されたとき、ロック爪５４が閉じ端部３３Ｓに接当するように設定してあればよい。また、閉じ端部３３Ｓの位置が閉じ位置から離してあると、戸パネル２を定トルクばね１５のばね力に逆らって開放操作して、開放方向の運動慣性力が戸パネル２に付与された状態でロックレバー３９を閉じロック姿勢に切り換えることができるので、開放初期における戸パネル２の開放抵抗を軽減できる。なお、ばね３６の張力はばね調整ねじ４３のねじ込み量を調整することにより好適化でき、例えば戸パネル２を吊込む際にその重量に応じて調整する。
【００４８】
以上のように、ガイドレール３に固定したラック３３と、戸パネル２に同行移動するロックユニット３４とで構成した閉じ停止装置によれば、引戸の構造が吊車型である場合と、戸車型である場合のいずれの場合にも閉じ停止装置を問題なく適用できる。また、ラック３３およびロックユニット３４を、ガイドレール３の内部空間を利用して配置できるので、２個の戸パネル２を引き違い開閉する引戸であっても、閉じ停止装置を問題なく適用して汎用性を向上できる。
【００４９】
戸パネル２が乱暴に開放操作されて、ランナーローラー９がガイドレール３から浮き離れるような場合であっても、ロック爪５４は、その傾動角度が増加するだけで、閉じロック姿勢を維持し続けることができるので、任意の開放位置において戸パネル２を支障なく閉じ規制できる。同様に、戸パネル２が外力を受けて、前後いずれかへ振れ動くような場合であっても、ロックレバー３９を閉じロック姿勢に保持し続けて、確実に閉じ停止機能を発揮できる。さらに、戸パネル２を閉じ操作するとき、ホルダー４０が下降移動移動することで、ロックレバー３９を閉じロック姿勢から待機姿勢に切り換えることができるので、大きな操作抵抗があった従来の閉じ停止装置に比べて、ロックレバー３９の位置切り換えを誰もが軽快に行うことができる。
【００５９】
上記の実施例では、ホルダー４０がばね３６の付勢力に逆らって下降移動することで、ロックレバー３９の姿勢を切り換えるようにしたがその必要はなく、ロックレバー３９をばね３６でラック３３へ向かって直接移動付勢して、ロックレバー３９がばね３６に抗してスライド変位することで、姿勢切り換え可能とすることができる。その場合にはホルダー４０を省略することができる。ロックレバー３９を中立位置ヘ復帰付勢する付勢体４０としては、線ばねや板ばねなどのばね材を適用できる。ラック３３は、ガイドレール３の前後壁のいずれか一方の内面に配置することができる。必要があれば、ラック３３を戸パネル２と同行移動可能に設け、ロックユニット３４をガイドレール３の側に設けることができる。
【図面の簡単な説明】
【００６１】
【図１】実施例１に係る途中停止装置の縦断面図である。
【図２】引戸の正面図である。
【図３】自閉構造と途中停止装置の関係を示す正面図である。
【図４】途中停止装置の縦断側面図である。
【図５】途中停止装置の分解斜視図である。
【図６】ロックレバーの切り換わり動作を示す断面図である。
【図７】ロックレバーの切り換わり動作を示す断面図である。  
【符号の説明】
【００６２】
２  戸パネル
３  ガイドレール
３３  ラック
３４  ロックユニット
３５  ロック体
３６  ばね
３７  ハウジング
３９  ロックレバー
４０  ホルダー
４１  付勢体
【図１】
0005131899.tif 000002
【図２】
0005131899.tif 000003
【図３】
0005131899.tif 000004
【図４】
0005131899.tif 000005
【図５】
0005131899.tif 000006
【図６】
0005131899.tif 000007
【図７】
0005131899.tif 000008